(57)【要約】  紙葉（１）の束（５）を綴じる方法であって、各紙葉（１）のストリップ（４）を、第一線にそって予め別々に折り曲げて、縁部（２）と平行に、かつ、縁部（２）から第一距離（Ａ'）を開けて延在する第一折線（３'）を形成し、次いで、第二線に沿って再び折り曲げて、縁部（２）と平行に、かつ、縁部（２）から第二距離（Ａ''）を開けて延在する第二折線（３''）を形成し、前記第一距離が前記第二距離とは異なる方法。【選択図】図６
2020522409.tif 000002
【特許請求の範囲】
【請求項１】
綴じ背部（７）に紙葉（１）の束（５）を綴じる方法であって、
束（５）の紙葉（１）の縁部（２）を綴じ背部（７）内に配置して、そこに固定し、
綴じて紙葉するために、各紙葉（１）のストリップ（４）を第一線に沿って予め別々に折り曲げ、前記縁部（２）に平行に、かつ、そこから第一距離（Ａ'）離れて延在する第一折線（３'）を形成し、
その後、前記紙葉（１）を第二線に沿って再び折り曲げ、前記縁部（２）に平行に、かつ、そこから第二距離（Ａ''）離れて延在する第二折線（３''）を形成する方法において、
前記第一距離（Ａ'）を前記第二距離（Ａ''）と異なるものにした
ことを特徴とする紙葉の束を綴じる方法。
【請求項２】
各紙葉（１）のストリップ（４）を、前記第一折線に沿って第一方向に予め折り曲げ、次いで、前記第二折線に沿って第二方向に予め折り曲げ、前記第一方向及び第二方向が異なる方向である
ことを特徴とする請求項１に記載の方法。
【請求項３】
第一折線（３（）と第二折線（３''）の間の距離が、１ミリメートルから数ミリメートルである
ことを特徴とする請求項１又は２に記載の方法。
【請求項４】
束（５）の紙葉（１）のストリップ（４）を、特定の折線（３'，３''）に沿って別々に二重に折り曲げる
ことを特徴とする請求項１〜３の何れか一項に記載の方法。
【請求項５】
前記縁部（２）と平行であり、かつ、そこから少なくとも距離（Ａ）離間して延在し、かつ、全ての他の折線（３'，３''）から距離をあけて配置された他の線に沿った第三又はそれ以上の折線を追加することにより折線（３'，３''）から成るファンを形成する
ことを特徴とする請求項１〜４の何れか一項に記載の方法。
【請求項６】
束（５）における連続する紙葉（１）の一つ又は複数の折線を、束（５）における紙葉（１）の位置に応じて、縁部（２）から異なり距離に配置する
ことを特徴とする請求項１〜５の何れか一項に記載の方法。
【請求項７】
紙葉（１）のストリップ（４）が、紙葉（１）の平面まで折り返される紙葉（１）の束（５）を使用する
ことを特徴とする請求項１〜６の何れか一項に記載の方法。
【請求項８】
ストリップ（４）が折り曲げられる角度が９０°より大きい
ことを特徴とする請求項１〜７の何れか一項に記載の方法。
【請求項９】
ストリップ（４）が折り曲げられる角度が１２０°より小さい
ことを特徴とする請求項８に記載の方法。
【請求項１０】
紙葉（１）の第一折線（３'）と縁部（２）との間の距離（Ａ）を、綴じられた束（５）を開くときに、開かれた紙葉（１）が平坦に、又は、実質的に平坦に広がるように選択する
ことを特徴とする請求項１〜９の何れか一項に記載の方法。
【請求項１１】
綴じ背部（７）が、Ｖ字形又はＵ字形の綴じ背部から成り、前記距離（Ａ）が、綴じ背部（７）の深さに本質的に対応している
ことを特徴とする請求項１〜１０の何れか一項に記載の方法。
【請求項１２】
前記距離（Ａ）が、綴じ背部（７）の深さより幾らか大きい
ことを特徴とする請求項１〜１１の何れか一項に記載の方法。
【請求項１３】
前記距離（Ａ）が、１０〜１４ミリメートルの間、好ましくは、１２ミリメートルである
ことを特徴とする請求項１〜１２の何れか一項に記載の方法。
【請求項１４】
綴じ背部（７）が金属性綴じ背部（７）であり、熱溶融性接着剤（１０）が設けられ、前記熱溶融性接着剤（１０）が綴じ工程中に溶融し、固化後に紙葉（１）をそれらの縁部（２）に沿って固定する
ことを特徴とする請求項１〜１３の何れか一項に記載の方法。
【請求項１５】
綴じ背部（７）のアーム（１４）を束（５）を配置した後に絞り、綴じ背部（７）内に束（５）をクランプする
ことを特徴とする請求項１〜１４の何れか一項に記載の方法。
【請求項１６】
束（５）が予めステープル止めされている
ことを特徴とする請求項１〜１５の何れか一項に記載の方法。
【請求項１７】
紙葉（１）に、前記折線（３）の一つまで連続する印刷物（１５）が予め印刷されている
ことを特徴とする請求項１〜１６の何れか一項に記載の方法。
【請求項１８】
相互に対向する隣接する紙葉（１）の面（６）に、一方の面（６）から他方の面（６）に両方の紙葉（１）の折線（３）に跨ってシームレスに展開する印刷物（１５）を予め施し、一方の面（６）の印刷物（１５）の部分が、関連する紙葉（１）の折線（３'、３''）まで施され、他方の面（６）の印刷物（１５）の部分が、隣接する紙葉（１）の折線（３'３''）まで施されている
ことを特徴とする請求項１〜１７の何れか一項に記載の方法。
【請求項１９】
一方の面（６）の印刷物（１５）及び他方の面（６）の印刷物（１５）が、折線（３'，３''）の上に重なり部分を伴って連続する
ことを特徴とする請求項１７に記載の方法。
【請求項２０】
フォルダ又は本の一枚又は二枚のエンドペーパ（１１）が、綴じ背部（７）に設けられている
ことを特徴とする請求項１〜１９の何れか一項に記載の方法。
【請求項２１】
前記エンドペーパ（１１）が、綴じ背部（７）のアーム（１４）に対して完全に外側に、綴じ背部（７）のアーム（１４）に当たるまで、又はほぼ当たるまで折り曲げられ得る
ことを特徴とする請求項２０に記載の方法。
【請求項２２】
紙葉（１）の少なくとも一部のストリップ（４）が、第一線に沿って別々に予め折り曲げられ、前記縁部（２）に平行に、かつ、前記縁部から第一距離（Ａ'）離れて延在する第一折線（３'）が形成され、その後、第二線に沿って再び折り曲げられ、前記縁部（２）に平行に、かつ、前記縁部（２）から第二距離（Ａ''）で延在する第二折線（３''）を形成し、前記第一距離と第二距離とが異なる
ことを特徴とする紙葉の束。
【請求項２３】
紙葉（１）の少なくとも一部のストリップ（４）が、前記第一折線に沿って第一方向に予め別々に折り曲げられ、次いで、前記第二折線に沿って第二方向に折り曲げられ、前記第一方向及び第二方向が異なる方向である
ことを特徴とする請求項２２に記載の紙葉の束。
【請求項２４】
第一折線（３'）及び第二折線（３''）の間の距離（ｘ）が、１ミリメートルから数ミリメートルである
ことを特徴とする請求項２２又は２３に記載の紙葉の束。
【請求項２５】
束（５）の紙葉（１）のストリップ（４）が、特定の折線（３'，３''）に沿って別々に二重に折り曲げられている
ことを特徴とする請求項２２〜２４の何れか一項に記載の紙葉の束。
【請求項２６】
前記縁部（２）と平行であり、かつ、そこから少なくとも距離（Ａ）離間して延在し、かつ、全ての他の折線（３'，３''）から距離をあけて配置された他の線に沿った第三又はそれ以上の折線を追加することにより折線（３'，３''）から成るファンが形成されている
ことを特徴とする請求項２２〜２５の何れか一項に記載の紙葉の束。
【請求項２７】
束（５）の紙葉（１）が平坦であり、各紙葉（１）のストリップ（４）が紙葉（１）の平面まで別々に折り戻されるか、又は、少なくとも１２０°の角度で折り戻され、前記距離（Ａ）が、約１０ミリメートルから１４ミリメートルの間にある
ことを特徴とする請求項２２〜２６の何れか一項に記載の紙葉の束。
【請求項２８】
綴じ背部（７）及び紙葉（１）の束（５）を備えた本又はフォルダであって、綴じられた束（５）が、請求項２１〜２６の何れか一項に記載の束（５）である
ことを特徴とする本又はフォルダ。
【発明の詳細な説明】
【技術分野】
【０００１】
本発明は例えば、本又は同様のものを形成するため、特に、その紙葉を平坦に開くことができ、印刷が二枚の開いた紙葉にわたってシームレスに継続する本又はフォルダを得るための紙葉の束を綴じる方法に関する。この態様は、開かれた本の幅全体にわたる写真及びイラストがある写真誌及び雑誌等を形成するために特に望ましい。
【背景技術】
【０００２】
欧州特許EＰ２９１７０４０号に記載されている方法が既に公知であり、この方法では束を紙葉の縁で綴じ背部に配置されて、そこに固定され、前記縁部から距離をあけて平行に延びる折り線を形成するために、各紙葉の各ストリップが、予め、正確に同じ線に沿って二重に別々に折り畳まれている。
【０００３】
二重に折り畳むことは、ストリップを最初に一方向に折り畳み、次に他の方向に折り畳むことを意味し、これは全く同じ線に沿って行われる。
【０００４】
一方向とは、紙葉の表面の方向又は前部フラップへの方向を意味する。もう一方の方向は、紙葉の裏面の方向、又は後側フラップへの方向を意味する。
【０００５】
このような方法の利点は、本が開かれた時に、折り線がこの折り線に沿って紙葉を折り曲げることを可能にし、紙葉の束が背で綴じられる時に、紙葉が互いに対して鋭い折り線で横たわり、その結果、紙葉を平らに開くことができ、印刷が、二つの隣接する折り線にわたってシームレスに良好に開かれた紙葉を横切って連続することができることである。
【０００６】
別の利点は、束が開かれた時に開かれた紙葉の間にスリットがなく、その結果、背で束を綴じるために使用される接着剤、ステッチ又はステープルが見えず、従って、一方の紙葉から他方の紙葉への印刷を妨げないことにある。
【０００７】
発生する問題は、紙葉を強く曲げた後の耐久性及び折り目に沿った裂け目の形成に関する。
【発明の概要】
【０００８】
本発明の目的はこの問題を解決し、かつ、ユーザ体験を向上させることにある。
【０００９】
ユーザ体験が向上する態様は、束内の紙葉の位置が、関連する紙葉の前に何枚の紙葉が来るか、及び関連する紙葉の後に何枚の紙葉が来るかを部分的に決定するという事実に関連する。
【００１０】
この方法では、例えば、束の最後から二枚目の紙葉は、この位置で束を開くと、最後から二枚目の紙葉は束の後部フラップに対して直接的または間接的に載り、その後に一枚の紙葉のみを有することになる。
【００１１】
最後から二枚目の紙葉を、束の前部フラップに対して間接的に載るようにめくると、実際には、紙葉の束全体がこの最後から二枚目の紙葉に先行する。
【００１２】
これは、束内の紙葉の位置に応じて、前部フラップに向けてめくられた紙葉と、後部フラップに向けてめくられた紙葉の理想的なヒンジ線又は折曲線が異なることを示している。束における異なる紙葉の間では、これらの理想的な折曲線も原理的に異なる。
【００１３】
本発明の目的は、綴じ背部におけて紙葉の束を綴じるための方法であって、束を紙葉の縁部で綴じ背部内に配置して、そこに固定し、綴じるために、各紙葉のストリップを第一線に沿って予め別々に折り曲げ、前述の縁部に平行に、かつ、それから第一距離離れて延在する第一折線を形成し、その後、前記紙葉を第二線に沿って再び折り曲げ、前述の縁部に平行に、かつ、それから第一距離とは異なる第二距離離れて延在する第二折線を形成し、前記第一距離を前記第二距離と異なる距離にする方法に関する。
【００１４】
従って、二つの折線は、相互に距離をおいて形成される。
【００１５】
このような方法の利点は、これらの折線により、本を開く時に、紙葉を、これらの折線にそって折り開くことを可能にすることにあり、かつ、紙葉の束を背部内に綴じる時に、紙葉が、これらの鋭い折線によって、実質的にお互いに対して載り、紙葉を平坦に開くことができるようにし、かつ、二つの隣接する折線を越えて広がる印刷が、開かれた紙葉をシームレスに横切って良好に連続することができるようにすることにある。
【００１６】
特定の場合では、折線が互いに非常に接近しており、実際には不可能な場合が幾つかある。
【００１７】
他の利点は、折線が、幾つかの折線に分割されているので、束は頻繁に折り広げられる時でも、折線の弱化や摩耗及び避けがないことにある。
【００１８】
本発明による方法の好ましい実施例では、各紙葉のストリップを、第一線にそって第一方向に予め別々に折り曲げて、前記縁部と平行に、かつ、前記縁部から第一距離離れて延在する第一折線を形成し、次いで、前記ストリップを再び第二線に沿って折り曲げて、前記縁部と平行に、かつ、前記縁部から第二距離離れて延在する第二折線を形成する。
【００１９】
好ましくは、第一及び第二方向は異なる方向であり、例えば、第一方向への折り曲げは紙葉の表面に向けられ、第二方向への折り曲げは紙葉の裏面に向けられる。また、これらの方向は、同じ方向でもよく、二つの折線を介して、紙葉を常に表面に向けて折り曲げてもよい。
【００２０】
好ましくは、第一折線と第二折線とが相互に位置する距離は、１ミリメートルから数ミリメートルである。
【００２１】
本発明による方法の特定の実施例では、束の各紙葉のストリップは、特定の折線にそって別々に二重に折り曲げられる。
【００２２】
本発明による方法のさらに別の実施例では、前記縁部に平行に、かつ少なくとも前記縁部から距離をおいて延在し、かつ、前の折線及び任意の他の折線から距離をあけて配置された他の線に沿った第三、第四又はそれ以上の折線を追加することにより、折線から成るファンが形成される。
【００２３】
その結果、三本以上の折線が、互いに密接して隣接する幅広の扇形のように形成される。これは、紙葉又は束が、より大きな折り畳み距離をブリッジしなければならない場合に有利であり得る。幾つかの折線によって、折り畳みは非常に柔軟になることになる。
【００２４】
本発明による方法の特別な実施例では、束における連続する紙葉の一つ又は複数の折線は、束における紙葉の位置に応じて、縁部から異なる距離に位置する。
【００２５】
実際、「厚い」束の最初の紙葉は、束の最後の紙葉よりも前部フラップに近くに位置するようになり、最初の紙葉が最後の紙葉より後部フラップから遠くに位置するにもかかわらず、紙葉が後部フラップに位置するようになる。ここでは、前部フラップに対する折り畳みのための折線を、最後の紙葉よりも第一紙葉の縁部に近づけるか、又は、その逆に、最後の紙葉よりも第一紙葉に対する後部フラップから遠ざけた方が有利であり得る。
【００２６】
好ましくは、紙葉のストリップが紙葉の平面に折り返される紙葉の束が使用される。
【００２７】
好ましくは、ストリップが折り曲げられる角度は９０°より大きい。従って、単なる曲げではなく、良好な折り畳みが得られる。
【００２８】
さらにより好ましくは、ストリップが折り曲げられる角度は少なくとも１２０°、又は、さらには１８０°である。
【００２９】
その結果、紙葉を折り畳まない従来の束と同じ従来の方法で、滑らかに、正確に、かつ簡単に折り曲げることができるようになる。
【００３０】
好ましくは、折線と紙葉の縁部との間の距離は、綴じられた束を開くときに、開かれた紙葉が平坦又は実質的に平坦であるように選択される。
【００３１】
ここでは、平坦とは、一方の紙葉の平面が他方の紙葉の平面内にあることを意味し、二枚の紙葉の組が一つの平面内に延びて、二枚の紙葉の組が平坦又は実質的に平坦であるとみなすことができることを意味する。
【００３２】
これにより、紙葉が綴じ面上で隆起しなくなるので、例えば、紙葉上に印刷されたテキストの読取りが容易になる。紙葉に印刷された写真の場合、綴じ側で紙葉が膨らんでいないので、美的特性が向上する。
【００３３】
好ましい特徴によれば、綴じ背部はＶ字形又はＵ字形の綴じ背部であり、折線と紙葉の縁との間の距離は本質的に綴じ背部の深さに対応し、この子よりは、好ましくは、綴じ背部の深さよりも幾らか大きい。
【００３４】
これにより、束を綴じ背部に固定した場合に、折線の高さで紙葉を綴じ背部上に折り畳むことが可能になるという利点が得られる。
【００３５】
好ましい特徴によれば、前記距離は１０〜１４ｍｍ、好ましくは１２ｍｍである。
【００３６】
好ましい特徴によれば、綴じ背部は金属製綴じ背部であり、熱溶融接着剤が設けられており、前記熱溶融接着剤は、綴じ工程中に溶融し、固化後に、紙葉を、それらの縁部に沿って固定するようにされている。
【００３７】
この方法の利点は、束を迅速かつ実用的な方法で綴じ背部に固定することができることにある。紙葉が、折線の高さで折り開かれるので、束を開いた時に、縁部の接着剤が見えなくなる。
【００３８】
好ましくは、金属製綴じ背部のアームは、束を綴じ背部にクランプするために、束を配置した後に一緒に締め付けられる。
【００３９】
これは、束を綴じ背部にしっかりと固定できるという利点を有する。さらに、締め付けられた綴じ背部は、束が開かれるときに、紙葉を一緒に保持して紙葉の折線が互いに対向して位置するようにし、加えて、束と綴じ背部のアームの縁部との間に切れ目がないようにして、接着剤等が視界から隠れるようにしている。
【００４０】
好ましい特徴によれば、束は、綴じられる前にステープル留めされる。
【００４１】
このような方法の利点は、原則として、束を綴じ背部に保持するために接着剤を必要としないことであり、ステープル留めされた束を綴じ背部に配置し、次いで、束が綴じ背部にクランプされるように綴じ背部を絞って閉じるだけで十分である。
【００４２】
好ましい特徴によれば、紙葉には、最初に、最も近い折線まで連続する印刷が施される。
【００４３】
好ましい特徴によれば、互いに対面する隣接する紙葉の面には、最初に、両紙葉の折線に跨って連続し、即ち、一方の面から他方の面にシームレスに連続する印刷が施され、一方の面の印刷部分は関係する紙葉の折線まで施され、他方の面の印刷部分は隣接する紙葉の折線まで施される。
【００４４】
この利点は、印刷、例えば写真が、隣接する紙葉の二枚の面を横切って連続することができることにある。さらに、印刷は、前述の縁部まで連続する必要はなく、その結果、紙葉の印刷がより容易になる。
【００４５】
好ましくは、一方の面への印刷及び他方の面への印刷が折線の上に重なり部分を伴って連続する。
【００４６】
これは、例えば、紙葉を予め二重に折り曲げている間、又は、束を綴じている間に、僅かな偏差や不正確さが生じている場合に、束が開かれたときに、細い印刷されていない線が、折線のレベルで見えなくなるという利点を有する。
【００４７】
好ましい実施形態では、フォルダ又は本の一枚又は二枚のエンドペーパが綴じ背部に貼り付けらえる。
【００４８】
このエンドペーパは、束の最も外側の紙葉の最も外側の印刷を損傷又は摩耗から保護するという利点を有する。
【００４９】
好ましくは、エンドペーパは、綴じ背部のアームに対して完全に外側に、綴じ背部のアームに当たるまで、又はほぼ当たるまで折り曲げられ得る。
【００５０】
これにより、束をめくる時に、折線と平行な軸線周りに綴じ背部を回転させることができるようになる。
【００５１】
この結果、ページは、束をめくっている間、平坦になることになる。
【００５２】
本発明は、また、紙葉の少なくとも一部のストリップが、第一線に沿って別々に予め折り曲げられ、前記縁部に平行に、かつ、前記縁部から第一距離で延在する第一折線を形成し、その後、第二線に沿って再び折り曲げられ、前記縁部に平行に、かつ、前記縁部から第二距離で延在する第二折線を形成し、第一距離が第二距離とは異なる、紙葉の束に関する。
【００５３】
また、本発明は、紙葉の少なくとも一部のストリップが、前記第一折線に沿って第一方向に、予め別々に折り曲げられ、次いで、前記第二折線に沿って第二方向に予め別々に折り曲げられ、前記第一及び第二方向が異なる紙葉の束に関する。
【００５４】
好ましくは、第一折線と第二折線との間の距離は、１ミリメートルから数ミリメートルである。好ましくは、これらの折線は、互いに非常に接近している。
【００５５】
本発明による紙葉の束の特定の実施形態では、束の各紙葉のストリップは、特定の折線に沿って別々に二重に折り曲げられる。
【００５６】
本発明による紙葉の束の別の実施形態では、紙葉の束は、前記縁部に平行に、かつ少なくとも前記縁部から距離をおいて延在し、かつ、全ての他の折線から距離を置いて位置する他の線に沿った第三、第四又は幾つかの折線を追加することによって扇状の折線を有する。
【００５７】
しかし、場合によっては、第一の組の折線の第二折線が、別の組の折線の第一折線と一致する可能性があるので、必ずしもそうする必要はない。
【００５８】
好ましくは、各紙葉のストリップが、紙葉の平面まで別々に折り返され、かつ、前記距離が約１０〜１４ミリメートルであるので、束の紙葉は平坦になる。
【００５９】
この距離がより大きく、例えば１５又は２０ミリメートルであることは除外されない。
【００６０】
さらにまた、本発明は、綴じ背部と、そこに綴じられた紙葉の束を備えた本又はフォルダに関し、綴じられた束は本発明による束である。
【００６１】
本発明の特徴をより良く示すために、本発明による紙葉の束を綴じるための好ましい方法を、添付の図面を参照して、限定的な性質を有さない実施例として以下に記載する。
【図面の簡単な説明】
【００６２】
【図１】本発明による方法の連続する工程の一つを概略的に示している。
【図２】本発明による方法の連続する工程の一つを概略的に示している。
【図３】本発明による方法の連続する工程の一つを概略的に示している。
【図４】本発明による方法の連続する工程の一つを概略的に示している。
【図５】本発明による方法の連続する工程の一つを概略的に示している。
【図６】めくられている間の束を概略的に示している。
【図７】折り曲げられた紙葉を概略的に示している。
【図８】折り曲げられた紙葉を分離した状態で示している。
【図９】折り曲げられた紙葉を分離した状態で示している。
【発明を実施するための形態】
【００６３】
図１〜図３は、紙葉１の製造方法を示している。
【００６４】
この目的のために、縁部２を有する紙葉１は、図１に示されるように、縁部２に平行に、かつ、縁部２から距離Ａだけ離れた折線３'に沿って、紙葉の表面に向けて一方向に折り曲げられる。このようにして、折線３'によって画定されるストリップ４が形成される。
【００６５】
次いで、ストリップ４は、図２に示すように、鋭い折線３''に従って、紙葉の裏面に沿って他の方向に折り曲げられる。
【００６６】
従って、ストリップ４は、図３に示すように、それぞれが別の方向に予め折り曲げられた結果として、二本の折線３'、３''を含む。
【００６７】
ストリップ４は、図１及び図２に示すように、毎回、少なくとも９０°、好ましくは１２０°の角度で折り曲げられる。
【００６８】
しかしながら、紙葉１が折り曲げられる角度が１２０°よりも大きいことは除外されない。
【００６９】
紙葉１を９０°より大きい角度、好ましくは少なくとも１２０°にわたり折り曲げることにより、紙葉１が形成された折線３'、３''上で折り曲げられることになるという利点が得られる。角度が９０°未満である場合、紙葉１は、折線３'、３''の周りで曲がることになる。
【００７０】
このようにして、紙葉１は、それぞれ異なる折線に沿って二方向に折り畳まれる。この実施例では、紙葉１は二本の折線３'，３''を有し、これらの折線は互いに近接した距離、典型的には、１ミリメートルから数ミリメートルの距離にある。この距離の差はほとんど目立たない。
【００７１】
好ましくは折線３'，３''を形成するためのストリップ４は完全に平坦に折り畳まれる。これにより、折線３'，３''は、いわば可撓性ヒンジを形成し、それに沿って紙葉１がストリップ４に対して前後に柔軟に折り曲げられ得る。
【００７２】
縁部２と縁部２に最も近い折線３''との間の距離Ａは、ストリップの幅に実質的に等しい。
【００７３】
図４〜図６は、紙葉１の束５を綴じる方法を概略的に示している。実際には、折線３'，３''の間の距離は図面に示す距離よりも小さい。
【００７４】
図４に示すように、束５は、図１〜図３に示すように複数の予め折り畳まれているが、本質的に平坦に戻された紙葉１を備えている。これらの紙葉１は、その面６が相互に対向するように配置されており、綴じられるべき紙葉１の縁部２が相互に整列されている。
【００７５】
この実施例では、綴じ背部７は、例えば、金属製のＵ字型部分８を備え、このＵ字型部分５の基部９上には熱溶融性接着剤１０から成る層が設けられている。
【００７６】
綴じ背部７には、さらに、二つのエンドペーパ１１が設けられており、これらエンドペーパ１１の各面にはカバー１２が設けられている。
【００７７】
綴じ背部７が、他の形態をとることもできることは明らかである。
【００７８】
束５は、綴じ背部７のＵ字形部分８内に配置され、紙葉１の縁部２は熱溶融性接着剤層１０上に配置される。
【００７９】
これにより、紙葉１の折線３'は、Ｕ字形部分の幾分上方に出る。
【００８０】
その後、熱溶融性接着剤層１０は、熱源１３によって加熱される。その結果、熱溶融性接着剤１０が溶融して液状になり、束５の紙葉１は、熱溶融性接着剤１０内で貼り付けられ得る。
【００８１】
熱溶融性接着剤１０の固化後、束５は熱溶融性接着剤１０を介して綴じ背部７に取り付けられる。
【００８２】
次いで、綴じ背部７のＵ字形部分８のアーム１４が絞られる。これにより、束５を綴じ背部７内にさらに強固に固定し、かつ、束５をアーム１４の自由縁部に、それらの間に割れ目が見えないように合わせることが可能になる。
【００８３】
綴じられた束５は、綴じられた紙葉１を有するフォルダに仕上げられる。
【００８４】
図６に示すように、束５を開くとき、予め折り曲げられた紙葉１は、一つの平面内で広がることになる。
【００８５】
明確にするために、紙葉に特定の厚さを与えているため図面は幾分歪んでいるが、実際には、図面に示されているものより良好である。
【００８６】
図７に示すように、紙葉１の面６には、イラスト１５又は写真の一部が印刷されており、イラスト１５は、一方の紙葉１から他方の紙葉１まで実質的にシームレスに連続し、従って、一つの連続するイラストを形成する。これは例えば、写真アルバムを構成するときに有用であり、この方法により、二枚の紙葉１にわたって広がる大きな写真を提供することができ、これは二枚の紙葉間の不都合な割れ目なしに行われ得る。
【００８７】
図８は、二枚の印刷された紙葉１を示しており、綴じた後に、印刷物１５は、両方の紙葉１の上で、一つの単一の完全な印刷物を形成することになる。
【００８８】
印刷物１５は、縁部２に最も近い位置にある折線３'まで印刷され、ストリップ４は印刷されないままである。
【００８９】
図９は、本発明の変形例を示しており、ストリップ４の一部１６にも印刷物１５の重なり部分が印刷されている。
【００９０】
熱溶融性接着剤１０は省略することができ、かつ、束５を綴じ背部７に配置する前にステープル留めすることができることは明らかである。
【００９１】
また、綴じ背部７のＵ字形部分８のアーム１４の絞りを省略できることも明らかである。
【００９２】
本発明は、実施例として記載され、図面に示される実施形態に決して限定されるものではなく、本発明による紙葉の束を綴じる方法は、本発明の範囲から逸脱することなく、あらゆる種類の変形で実現され得る。
【図１】
2020522409.tif 000003
【図２】
2020522409.tif 000004
【図３】
2020522409.tif 000005
【図４】
2020522409.tif 000006
【図５】
2020522409.tif 000007
【図６】
2020522409.tif 000008
【図７】
2020522409.tif 000009
【図８】
2020522409.tif 000010
【図９】
2020522409.tif 000011
【国際調査報告】
2020522409.tif 000012
2020522409.tif 000013